(57)【要約】【課題】わざわざ洗面台まで行かなくともベッドや椅子に座った状態で手を洗うことができる被介助者の手洗い用エプロン及び手洗い支援システムを提供すること。【解決手段】被介助者は前身頃４の前面に半球形状の容器を鏡対称となるようにカットした形状の受水カップ８を取りつけた手洗い用エプロン１を着用する。座ったままで洗浄水供給装置から浄水を供給する放水用ホース１７の先端を受水カップ８の上方位置に配置し、介助者と被介助者が協調して被介助者の手を洗うようにする。洗浄した際の水は受水カップ８で受け止められて、排水ホース１０から排出される。【選択図】  図３
0003168262.tif 000002
【実用新案登録請求の範囲】
【請求項１】
人体前面領域を覆う可撓性のある被覆部材と、同被覆部材を人の上体に支持するための支持手段と、前記被覆部材の前面位置に配置され前方に張り出すとともに上方が開放された形状をなす椀状に窪んだ受水部と、同受水部の下部位置から同受水部の外方に延出されるホース部材とから構成され、
洗浄水供給手段から供給された洗浄用の水によって前記受水部の上部位置で手を洗浄し、前記受水部で受けた使用後の水を前記ホース部材によって排出するようにしたことを特徴とする被介助者の手洗い用エプロン。
【請求項２】
前記被覆部材は手首までの腕の全周を包囲する腕包囲部分を有することを特徴とする請求項１に記載の被介助者の手洗い用エプロン。
【請求項３】
前記受水部は前記被覆部材の使用者の腹部から大腿部に対応する位置に配置されることを特徴とする請求項１又は２に記載の被介助者の手洗い用エプロン。
【請求項４】
撥水性素材から構成されていることを特徴とする請求項１〜３のいずれかに記載の被介助者の手洗い用エプロン。
【請求項５】
前記受水部は前記被覆部材の前面位置に配置され前方に張り出すように配置された受水容器であることを特徴とする請求項１〜４のいずれかに記載の被介助者の手洗い用エプロン。
【請求項６】
前記受水部は前記被覆部材の下方領域の周縁を吊り下げ部材によって支持することで形成されていることを特徴とする請求項１〜４のいずれかに記載の被介助者の手洗い用エプロン。
【請求項７】
骨格となるフレーム体を備え、同フレーム体の下部側が前記吊り下げ部材とされていることを特徴とする請求項６に記載の被介助者の手洗い用エプロン。
【請求項８】
前記フレーム体はリング状に構成され、その上縁で被介助者の首に吊り下げ支持されることを特徴とする請求項７に記載の被介助者の手洗い用エプロン。
【請求項９】
前記フレーム体はエプロン素材にくるまれていることを特徴とする請求項７又は８に記載の被介助者の手洗い用エプロン。
【請求項１０】
水タンクと、同水タンク内の水を送り出すポンプ装置と、同ポンプ装置によって送り出された水を導く第１のホース部材とから構成される洗浄用の水を供給する洗浄水供給装置と、
人体領域を覆う可撓性のある被覆部材と、同被覆部材を人の上体に支持するための支持手段と、前記被覆部材の前面位置に配置され前記洗浄水供給装置の前記ホース部材先端から放出される洗浄用の水を受ける前方に張り出すとともに上方が開放された形状をなす受水部と、同受水部の下部位置から同受水部の外方に延出される第２のホース部材とから構成される被介助者の手洗い用エプロンと、
前記第２のホース部材から排出される使用後の水を受ける排水設備とを備えることを特徴とする被介助者の手洗い支援システム。
【請求項１１】
前記洗浄水供給装置の外部位置には前記ポンプ装置を入り切りするスイッチが併設されていることを特徴とする請求項１０に記載の被介助者の手洗い支援システム。
【考案の詳細な説明】
【技術分野】
【０００１】
本考案は、自分で洗面台に向かって手を洗えず介助の必要な人、すなわち被介助者の手洗いを支援するための被介助者の手洗い用エプロン及び手洗い支援システムに関するものである。
【背景技術】
【０００２】
病気によって手足が不自由となって介助が必要となった人（被介助者）が手をきれいにする場合には、自分で洗面台に向かって移動したり腕をスムーズに動かしたりすることが困難で容易には手を洗えないため、一般に入浴とともに手を洗う以外は付き添い介助者によって濡れタオルなどで手を拭いてもらうことが普通である。
【考案の開示】
【考案が解決しようとする課題】
【０００３】
しかし、被介助者において入浴を待たず、しかもどうしても手を洗いたいという要請がある。また、日常の手洗いは清潔性の保持のために必要であり、特に感染症の対策としては流水による手洗いが基本である。そのため、、手洗いをするために洗面台に移動せずにベッドや椅子に座った状態で手を洗うことができる手段が求められていた。
本考案は、このような従来の技術に存在する問題点に着目してなされたものである。その目的とするところは、わざわざ洗面台まで行かなくともベッドや椅子に座った状態で手を洗うことができる被介助者の手洗い用エプロン及び手洗い支援システムを提供することにある。
【課題を解決するための手段】
【０００４】
上記の目的を達成するための第１の手段として、人体前面領域を覆う可撓性のある被覆部材と、同被覆部材を人の上体に支持するための支持手段と、前記被覆部材の前面位置に配置され前方に張り出すとともに上方が開放された形状をなす椀状に窪んだ受水部と、同受水部の下部位置から同受水部の外方に延出されるホース部材とから構成され、
洗浄水供給手段から供給された洗浄用の水によって前記受水部の上部位置で手を洗浄し、前記受水部で受けた使用後の水を前記ホース部材によって排出するようにしたことをその要旨とする。
このような構成とすると、被介助者が手洗い用エプロンを装着することで、洗浄水供給手段から供給された洗浄用の水によって受水部の上部位置で手を洗浄し、受水部で受けた使用後の水をホース部材によって排出することができるため、ベッドや椅子に座った状態で手を洗うことが可能となる。
【０００５】
ここに、被覆部材は手首までの腕の全周を包囲する腕包囲部分を有することが好ましい。腕が塗れずに手だけを洗う（濡らす）ことができるからである。
また、前記受水部は前記被覆部材の使用者の腹部から大腿部に対応する位置に配置されることが好ましい。このようなエプロンを使用する被介助者は腕が上げにくいことが多いため、受水部がこのような位置に配置されることがあまり手を上げなくても手を洗える位置として好適だからである。
また、エプロンを撥水性素材から構成することが衣服が濡れないようにするために好ましい。
具体的な受水部としては被覆部材の前面位置に配置され前方に張り出すように配置された受水容器が想定される。また、受水部を被覆部材の下方領域の周縁を吊り下げ部材によって支持することで形成することが想定される。エプロンは骨格となるフレーム体を備え、フレーム体の下部側を吊り下げ部材とすることが想定される。またフレーム体はリング状に構成され、その上縁で被介助者の首に吊り下げ支持されることが好ましい。また、フレーム体はエプロン素材にくるまれていることが好ましい。
【０００６】
また、第２の手段として、水タンクと、同水タンク内の水を送り出すポンプ装置と、同ポンプ装置によって送り出された水を導く第１のホース部材とから構成される洗浄用の水を供給する洗浄水供給装置と、少なくとも胸から膝にかけての人体領域を覆う可撓性のある被覆部材と、同被覆部材を人の上体に支持するための支持手段と、前記被覆部材の前面位置に配置され前記洗浄水供給装置の前記ホース部材先端から放出される洗浄用の水を受ける前方に張り出すとともに上方が開放された形状をなす受水部と、同受水部の下部位置から同受水部の外方に延出される第２のホース部材とから構成される病人の手洗い用エプロンと、前記第２のホース部材から排出される使用後の水を受ける排水設備とを備えるようにしたことをその要旨とする。
このような構成とすると、被介助者が手洗い用エプロンを装着することで、洗浄水供給手段のポンプ装置から第１のホース部材を介して供給された洗浄用の水によって受水部の上部位置で手を洗浄し、受水部で受けた使用後の水を第２のホース部材によって排水設備に排出することができるため、ベッドや椅子に座った状態で手を洗うことが可能となる。
ここに、洗浄水供給装置には前記ポンプ装置を入り切りするスイッチが併設されていることが好ましい。スイッチは洗浄水供給装置外部の操作しやすい位置にあることが好ましい。
【考案の効果】
【０００７】
本考案では、腕を動かしにくい被介助者が手を洗いたい場合に、洗面台のような設備がない場所であっても、ベッドや椅子に座った状態で手を洗うことが可能となる。
【図面の簡単な説明】
【０００８】
【図１】本考案の実施の形態１の被介助者の手洗い用エプロンを着用した場合の正面方向からの目視状態を説明する説明図。
【図２】実施の形態１の被介助者の手洗い用エプロンを着用した場合の背面方向からの目視状態を説明する説明図。照明装置の平断面図。
【図３】実施の形態１の被介助者の手洗い用エプロンを着用して手を洗っている状態の説明図。
【図４】本考案のシステムに使用される給排水装置を模式的に説明する部分断面側面図。
【図５】実施の形態２の被介助者の手洗い用エプロンを着用した場合の正面方向からの目視状態を説明する説明図。
【図６】実施の形態２の被介助者の手洗い用エプロンを着用した場合の背面方向からの目視状態を説明する説明図。照明装置の平断面図。
【図７】実施の形態２の被介助者の手洗い用エプロンを着用して手を洗っている状態の説明図。
【図８】（ａ）はフレーム体の斜視図、（ｂ）はフレーム体の側面図。
【考案を実施するための最良の形態】
【０００９】
以下、本考案の被介助者の手洗い用エプロン及び手洗い支援システムを具体化した実施の形態を図面に基づいて説明する。
（実施の形態１）
図１〜図３に示すように、被介助者の手洗い用エプロン１（以下、エプロン１）は例えば塩化ビニールのような可撓性かつ撥水性のある薄手の素材から構成されている。エプロン１は支持手段としての肩当て部２、袖３及び前身頃４を有し、後身頃のない割烹着形状をなしている。袖３の先端（袖口）は水の浸入を防止するためにゴムひもによって縮径させられている。両肩当て部２を結ぶ上端面の中央位置には頭を通すための透孔５が形成されている。図２に示すように、前身頃４中央位置の脇位置には支持手段としての結び紐６が一体的に形成されている。前身頃４の裾７は使用者の膝下位置まで及ぶような長さとされ、前身頃４は普通体型の使用者であれば左右方向に十分な余裕を持つ程度に幅広に形成され裾７側ほど外方に広がっており、使用者の体側を十分覆うことが可能となっている。エプロン１は使用する者の体型によってサイズの変更が可能である。尚、図１及び図２ではエプロン１の立体形状を説明するために着衣上体で図示しているが、実際の被介助者がこのようにきれいな立ち姿で着衣できることを念頭においているわけではない。
【００１０】
エプロン１の前身頃４の前面であって中央から若干下方に下がった位置、より具体的には起立した上体でちょうど恥骨と正対する位置に受水部としての受水カップ８が形成されている。受水カップ８は半球形状の容器を鏡対称となるようにカットした形状（球の１／４の形状）とされている。本実施の形態では受水カップ８は例えばＰＥＴ（ポリエチレンテレフタレート）のような軽量のプラスチック素材から構成されており、熱溶着あるいは接着剤によってエプロン１に固着されている。使用者がエプロン１を装着した状態（図１及び図２の状態）で受水カップ８の上端は側方視においてほぼ水平に延出され、上方から目視（平面視方向）した状態では使用者の前方側に弧状に張り出すこととなる。
受水カップ８の下端位置には受水カップ８内外を連通させるホース部材（第２のホース部材）としての排水ホース１０が取り付けられている。
【００１１】
このようなエプロン１を着用した手足が不自由な被介助者が手を洗う際には、図４に示すような給排水装置１１を使用する。
給排水装置１１は上下層に分かれており、上層は浄水槽１２を備えた洗浄水供給装置１３とされている。浄水槽１２内には天井１５に形成された給水口１６から浄水が給水されるようになっている。浄水槽１２内にはポンプ装置１４が配設されており、第１のホース部材としての放水用ホース１７がポンプ装置１４から浄水槽１２外に延出されている。放水用ホース１７の浄水槽１２側基部位置には止水弁１８が形成されている。ポンプ装置１４は本実施の形態では室内に設けられている図示しないコンセントから電源を得るようにしているが、バッテリーを備えるような構成でも構わない。
洗浄水供給装置１３は下層の排水タンク１９上に載置されている。排水タンク１９の上部には排水タンク１９内外を連通する連結パイプ２０が固着され、連結パイプ２０の上端にはキャッチ２１が装着されている。キャッチ２１にはエプロン１側の排水ホース１０の先端が着脱可能に取り付けられている。ここでは排水ホース１０先端は容易に取り外しできるような構造であるが、排水ホース１０の先端を排水タンク１９内に連結するようにしてもよい。排水タンク１９には回収した排水を外部に排出させるためのドレーン用コック２２が形成されている。給排水装置１１は車輪２３付の台車２５に載置されハンドル２６を押動して移動させることが可能となっている。台車２５の先端位置上面にはポンプ装置１４の駆動の入り切りを行うフットスイッチ２７が配設されている。フットスイッチ２７は踏み込むことで電源の「入り」「切り」が交互に行われるようになっている。
【００１２】
このような構成において手足が不自由な被介助者が手を洗う場合には、まず図３に示すように椅子に座った状態でエプロン１を着用する。椅子以外にもベッドから上体を起こしたりやあるいはベッドを椅子代わりに座ったりした場合も同様である。椅子に着座した状態で、床に着いた足が若干曲がるので受水カップ８は概ね太ももの上辺りに配置されることとなる。この位置では腕をそれほど上方に持ち上げずとも比較的楽に受水カップ８近傍に手を配置することができる。
このような姿勢を取った状態で介助者が給排水装置１１を介助者の近傍に移動させ、放水用ホース１７を引き伸ばし、その先端を受水カップ８上方に配置する。そして、介助者は被介助者と協調しながらフットスイッチ２７を入り切りして浄水槽１２から浄水を導き被介助者の手の上方からかけるようにする。これによって被介助者は浄水で手を洗うことができる。洗った水は受水カップ８内で受け止められ、周囲に飛び散った水しぶきはエプロン１の前身頃４によって受け止められる。受水カップ８で受け止められた水は排水ホース１０から重力作用によって排出され受水カップ８よりも低い位置にある排水タンク１９に導かれることとなる。
【００１３】
上記のように構成することで本実施の形態１の被介助者の手洗い用エプロン及び手洗い支援システムでは次のような効果を奏する。
（１）エプロン１を着用することで、被介助者はわざわざ洗面台にいかなくとも手を洗うことが可能となり、ストレスを感じることなく手を拭くのではなく健常者と同様に手を洗うことができる。また、洗面台で手を洗えないほど手足の動きにくい人でもこのようなシステムであれば手を洗うことができる。
（２）受水カップ８は前身頃４の比較的低目の位置に配置されているため、手をそれほど上げずとも、手を洗うことができるので、被介助者の負担が少ない。
（３）持ち運び可能な給排水装置１１によって浄水の供給も排水の受け取りも被介助者の近傍で行うことができるようになっているため、大型の給排水設備を病室等の被介助者のいる場所に設置する必要がない。
【００１４】
（実施の形態２）
実施の形態２は実施の形態１とは異なる手洗い用エプロン３１（以下、エプロン３１）の例である。
図５〜図７に示すように、エプロン３１は例えば実施の形態１と同様塩化ビニールのような可撓性かつ撥水性のある薄手の素材から構成されている。エプロン３１は図８に示すフレーム体３２を骨格として備えている。フレーム体３２はエプロン３１の素材でくるまれて外部に露出されることはない。フレーム体３２は無端状に両端を連結した長楕円形状のリング状のワイヤから構成されている。フレーム体３２は中央付近でくの字上に屈曲されており、下半身となる受水部用フレーム部位３２ａを前方に凸となるように水平に配置すると上半身となるハンガーフレーム部位３２ｂは若干後傾気味に上方に凸となるように立ち上がって配置される。フレーム体３２の受水部用フレーム部位３２ａは吊り下げ部材に相当する。エプロン３１は肩当て部３３、袖３４及び前身頃３５を有し、後身頃を有さない形状とされている。袖３４の先端（袖口）は水の浸入を防止するためにゴムひもによって縮径させられている。両肩当て部３３を結ぶ上端面の中央位置には頭を通すための透孔３６が形成されている。肩当て部３３及びハンガーフレーム部位３２ｂは支持手段に相当する。
エプロン３１は肩当て部３３と前身頃３５はフレーム体３２のハンガーフレーム部位３２ｂに支持されている。前身頃３５の下方領域の周縁はフレーム体３２の受水部用フレーム部位３２ａに吊り下げ支持されている。前身頃３５の下方領域は受水部用フレーム部位３２ａが包囲する領域よりも大きな面積を有しており、吊り下げ支持された状態で自重で断面放物線状に垂れ下がる。そのため、受水部用フレーム部位３２ａの内側に前身頃３５と一体的に上方に開放された袋状の受水部３７が形成される。受水部３７の下端位置には受水部３７内外を連通させる実施の形態１と同様の排水ホース１０が取り付けられている。
尚、図５及び図６ではエプロン３１の立体形状を説明するために着衣上体で図示しているが、実際の被介助者がこのようにきれいな立ち姿で着衣できることを念頭においているわけではない。
【００１５】
このような構成において手足が不自由な被介助者が手を洗う場合には、図７に示すように椅子に座った状態でエプロン３１を着用する。椅子以外にもベッドから上体を起こしたりやあるいはベッドを椅子代わりに座ったりした場合も同様である。被介助者が透孔３６から頭部を外方に露出させるとハンガーフレーム部位３２ｂが被介助者の首筋に当たりエプロン３１全体を吊り下げ支持することとなる。被介助者が袖３４を通すとちょうど受水部３７の高さ、つまり受水部用フレーム部位３２ａの位置は使用者のへそ付近に配置される。
このような姿勢を採った状態で介助者が実施の形態１と同様に浄水を導き被介助者の手の上方からかけるようにする。これによって被介助者は浄水で手を洗うことができる。洗った水は受水部３７内で受け止められ、周囲に飛び散った水しぶきはエプロン１の前身頃３５によって受け止められる。受水部３７で受け止められた水は排水ホース１０から重力作用によって排出され受水部３７よりも低い位置にある排水タンク１９に導かれることとなる。
このような構成によって、実施の形態１と同様の効果が奏される。
【００１６】
尚、この考案は、次のように変更して具体化することも可能である。
・エプロン１，３１の外形形状や素材は上記は一例であって、他の形状で構成することも自由である。受水カップ８の外形形状や素材も同様である。
・受水カップ８の身頃４に対する配置位置は適宜変更可能である。
・上記実施の形態では洗浄水供給装置１３と排水タンク１９は一体型であったが、別体でも構わない。
・フレーム体３２の形状や素材は上記は一例であって、他の態様で実施することは自由である。
・洗浄水供給装置１３のみを用意して、手を洗った後の排水は例えばバケツで受けるようにしてもよい。
・本考案は洗面台のような設備がない場所で使用できることはもちろん、洗面台のような設備がある場所であっても使用することは自由である。
・その他、本考案の趣旨を逸脱しない態様で実施することは自由である。
【符号の説明】
【００１７】
１，３１…被介助者の手洗い用エプロン、４，３５…被覆部材としての前身頃、２…支持手段としての肩当て部、６…支持手段としての結び紐、８…受水部としての受水カップ、１０…ホース部材あるいは第２のホース部材としての排水ホース、１２…水タンクとしての浄水槽、１３…洗浄水供給手段としての洗浄水供給装置、１４…ポンプ装置、１７…第１のホース部材としての放水用ホース、１９…排水設備としての排水タンク、３２ｂ…支持手段としてのハンガーフレーム部位、３３…支持手段としての肩当て部、３７…受水部。
【図１】
0003168262.tif 000003
【図２】
0003168262.tif 000004
【図３】
0003168262.tif 000005
【図４】
0003168262.tif 000006
【図５】
0003168262.tif 000007
【図６】
0003168262.tif 000008
【図７】
0003168262.tif 000009
【図８】
0003168262.tif 000010
【手続補正書】
【提出日】平成23年4月18日(2011.4.18)
【手続補正１】
【補正対象書類名】明細書
【補正対象項目名】０００５
【補正方法】変更
【補正の内容】
【０００５】
ここに、被覆部材は手首までの腕の全周を包囲する腕包囲部分を有することが好ましい。腕が濡れずに手だけを洗う（濡らす）ことができるからである。
また、前記受水部は前記被覆部材の使用者の腹部から大腿部に対応する位置に配置されることが好ましい。このようなエプロンを使用する被介助者は腕が上げにくいことが多いため、受水部がこのような位置に配置されることがあまり手を上げなくても手を洗える位置として好適だからである。
また、エプロンを撥水性素材から構成することが衣服が濡れないようにするために好ましい。
具体的な受水部としては被覆部材の前面位置に配置され前方に張り出すように配置された受水容器が想定される。また、受水部を被覆部材の下方領域の周縁を吊り下げ部材によって支持することで形成することが想定される。エプロンは骨格となるフレーム体を備え、フレーム体の下部側を吊り下げ部材とすることが想定される。またフレーム体はリング状に構成され、その上縁で被介助者の首に吊り下げ支持されることが好ましい。また、フレーム体はエプロン素材にくるまれていることが好ましい。
【手続補正２】
【補正対象書類名】明細書
【補正対象項目名】０００９
【補正方法】変更
【補正の内容】
【０００９】
以下、本考案の被介助者の手洗い用エプロン及び手洗い支援システムを具体化した実施の形態を図面に基づいて説明する。
（実施の形態１）
図１〜図３に示すように、被介助者の手洗い用エプロン１（以下、エプロン１）は例えば塩化ビニールのような可撓性かつ撥水性のある薄手の素材から構成されている。エプロン１は支持手段としての肩当て部２、袖３及び前身頃４を有し、後身頃のない割烹着形状をなしている。袖３の先端（袖口）は水の浸入を防止するためにゴムひもによって縮径させられている。両肩当て部２を結ぶ上端面の中央位置には頭を通すための透孔５が形成されている。図２に示すように、前身頃４中央位置の脇位置には支持手段としての結び紐６が一体的に形成されている。前身頃４の裾７は使用者の膝下位置まで及ぶような長さとされ、前身頃４は普通体型の使用者であれば左右方向に十分な余裕を持つ程度に幅広に形成され裾７側ほど外方に広がっており、使用者の体側を十分覆うことが可能となっている。エプロン１は使用する者の体型によってサイズの変更が可能である。尚、図１及び図２ではエプロン１の立体形状を説明するために着衣状態で図示しているが、実際の被介助者がこのようにきれいな立ち姿で着衣できることを念頭においているわけではない。
【手続補正３】
【補正対象書類名】明細書
【補正対象項目名】００１０
【補正方法】変更
【補正の内容】
【００１０】
エプロン１の前身頃４の前面であって中央から若干下方に下がった位置、より具体的には起立した状態でちょうど恥骨と正対する位置に受水部としての受水カップ８が形成されている。受水カップ８は半球形状の容器を鏡対称となるようにカットした形状（球の１／４の形状）とされている。本実施の形態では受水カップ８は例えばＰＥＴ（ポリエチレンテレフタレート）のような軽量のプラスチック素材から構成されており、熱溶着あるいは接着剤によってエプロン１に固着されている。使用者がエプロン１を装着した状態（図１及び図２の状態）で受水カップ８の上端は側方視においてほぼ水平に延出され、上方から目視（平面視方向）した状態では使用者の前方側に弧状に張り出すこととなる。
受水カップ８の下端位置には受水カップ８内外を連通させるホース部材（第２のホース部材）としての排水ホース１０が取り付けられている。
【手続補正４】
【補正対象書類名】明細書
【補正対象項目名】００１４
【補正方法】変更
【補正の内容】
【００１４】
（実施の形態２）
実施の形態２は実施の形態１とは異なる手洗い用エプロン３１（以下、エプロン３１）の例である。
図５〜図７に示すように、エプロン３１は例えば実施の形態１と同様塩化ビニールのような可撓性かつ撥水性のある薄手の素材から構成されている。エプロン３１は図８に示すフレーム体３２を骨格として備えている。フレーム体３２はエプロン３１の素材でくるまれて外部に露出されることはない。フレーム体３２は無端状に両端を連結した長楕円形状のリング状のワイヤから構成されている。フレーム体３２は中央付近でくの字上に屈曲されており、下半身となる受水部用フレーム部位３２ａを前方に凸となるように水平に配置すると上半身となるハンガーフレーム部位３２ｂは若干後傾気味に上方に凸となるように立ち上がって配置される。フレーム体３２の受水部用フレーム部位３２ａは吊り下げ部材に相当する。エプロン３１は肩当て部３３、袖３４及び前身頃３５を有し、後身頃を有さない形状とされている。袖３４の先端（袖口）は水の浸入を防止するためにゴムひもによって縮径させられている。両肩当て部３３を結ぶ上端面の中央位置には頭を通すための透孔３６が形成されている。肩当て部３３及びハンガーフレーム部位３２ｂは支持手段に相当する。
エプロン３１は肩当て部３３と前身頃３５はフレーム体３２のハンガーフレーム部位３２ｂに支持されている。前身頃３５の下方領域の周縁はフレーム体３２の受水部用フレーム部位３２ａに吊り下げ支持されている。前身頃３５の下方領域は受水部用フレーム部位３２ａが包囲する領域よりも大きな面積を有しており、吊り下げ支持された状態で自重で断面放物線状に垂れ下がる。そのため、受水部用フレーム部位３２ａの内側に前身頃３５と一体的に上方に開放された袋状の受水部３７が形成される。受水部３７の下端位置には受水部３７内外を連通させる実施の形態１と同様の排水ホース１０が取り付けられている。
尚、図５及び図６ではエプロン３１の立体形状を説明するために着衣状態で図示しているが、実際の被介助者がこのようにきれいな立ち姿で着衣できることを念頭においているわけではない。